(57)【特許請求の範囲】
【請求項１】
バドミントン、バレー、テニス等のスポーツにおいてコートに張るネットの上部に取り付けられているコードを、ネット側からネット柱の掛け止め具側へ挿通して牽張する牽張器であって、
前記牽張器は、ネット柱の掛け止め具側に向かって対向する内面が狭くなるテーパー面を形成し、該テーパー面の中央には、ネット側からネット柱の掛け止め具側への方向に沿ってスライド可能で左右面に摩擦面を形成したスライド片を収容し、
前記牽張器をネット側に引き寄せたときには、前記スライド片が前記狭くなっている内面側に移動し、前記スライド片の左右と前記テーパー面との間に、ネット柱の掛け止め具に至るコード、および前記掛け止め具にて折り返した前記コードを挿通して挟み込むことを特徴とするスポーツ用ネット牽張器。
【請求項２】
バドミントン、バレー、テニス等のスポーツにおいてコートに張るネットの上部に取り付けられているコードを、ネット側からネット柱の掛け止め具側へ挿通して牽張する牽張器であって、
前記牽張器は、ネット側に向かって対向する内面が狭くなるテーパー面を形成し、該テーパー面内には２本のローラーを収容して、該２本のローラー間に前記コードを挿通し、前記ローラーにはネット側に向かって付勢する付勢部材を懸架し、
前記コードがネット側へ引き寄せられていないときには、前記２本のローラーは、前記付勢部材による付勢力により前記テーパー面の内面が狭くなっている方に付勢され、前記狭くなっている内面からの圧力により前記コードを挟み込むことを特徴とするスポーツ用ネット牽張器。
【請求項３】
バドミントン、バレー、テニス等のスポーツにおいてコートに張るネットの上部に取り付けられているコードを、ネット側からネット柱の掛け止め具側へ通過させて牽張する牽張器であって、
前記牽張器には、１本の支軸が前記コードの通過方向に沿って設けられており、該支軸には複数の係止片が略同方向に設けられ、該複数の係止片は、該複数の係止片を通過する前記コードの屈折角度が大きくなるように、１つおきに互いに位置を食い違わせて設けられていることを特徴とするスポーツ用ネット牽張器。
【発明の詳細な説明】
【０００１】
【発明の属する技術分野】
本発明は、バドミントン、バレー、テニス等のスポーツにおいて、コートに張るネットに適宜の緊張力を与えるスポーツ用ネット牽張器に関する。
【０００２】
【従来の技術】
従来のこの種のスポーツ用ネットは図９、図１０に示すように、スポーツ用コートに建てられたネット柱１に上下スライド可能なスライド枠２が嵌合されており、スポーツ用のネット３の上端に取り付けられているコード４の終端をスライド枠２に設けられている掛け止め具５に固定する。
【０００３】
そして、スライド枠２を下方にスライドさせることでネット３に適宜の緊張力を与えた後に、スライド枠２に螺合している蝶ナット６の緊締でネット柱１にスライド枠２を固定し、前記の緊張力を維持するようにしていたものである。
【０００４】
また、特に高い緊張力を必要とするスポーツにおいては、ネット柱にウインチを取り付けておき、ネットの上端に取り付けられているコードをウインチの巻き取りドラムに巻き付けて、ウインチの巻き取り力でネットに必要な緊張力を与えるようにしたものもある。
【０００５】
【発明が解決しようとする課題】
バドミントン、ソフトバレー、ハーフテニス等においては、ネットの緊張力は硬式のテニス、６人制、９人制のバレーボール、軟式のテニス等が必要とする緊張力よりも低い緊張力で足りるためにウインチを用いる必要はなく、人力でネットを引っ張ってネット上端に取り付けたコードをネット柱に取り付ければ良かった。
【０００６】
しかし、ネットを張る人の腕力の低下、コードの結び方、引っ張り方の未熟さ等から前述の前者のようなスライド式の牽張器が用いられるようになってきたが、前記のスライド式の牽張器はネット張り柱を傷つける恐れが多く、塗装の剥離が早い時期から見られる等の問題点があった。
【０００７】
また、バドミントン、ソフトバレー、ハーフテニス等においては、高い緊張力を必要としないために、ネット柱は細いのが通常で、前記の問題点を解決するためにウインチ等をネット柱に取り付ければネット柱の傷つきは無くなるものの、ウインチ等がネット柱からはみ出してしまい、プレイ中にぶつかる危険性が高くなり、更には強い緊張力によるネット柱の傾きによる事故の発生の危険性もある。
【０００８】
更には、従来のスポーツ用ネット牽引器はネット柱に固定されているので、雨天等でも取り外して格納することができないため、雨に晒されたりして錆を生じる等の問題点もあった。
【０００９】
本発明は従来のスポーツ用ネット牽張器の前述の問題点を解消し、それぞれのスポーツに適した緊張力を得ることができると共に、雨天等ではネットと共に格納が可能で、耐久性に富むスポーツ用ネット牽張器を提供することを目的とする。
【００１０】
【課題を解決する手段】
かかる目的を達成するため、本発明におけるスポーツ用ネット牽張器は、バドミントン、バレー、テニス等のスポーツにおいてコートに張るネットの上部に取り付けられているコードを、ネット側からネット柱の掛け止め具側へ挿通して牽張する牽張器であって、牽張器は、ネット柱の掛け止め具側に向かって対向する内面が狭くなるテーパー面を形成し、テーパー面の中央には、ネット側からネット柱の掛け止め具側への方向に沿ってスライド可能で左右面に摩擦面を形成したスライド片を収容し、牽張器をネット側に引き寄せたときには、スライド片が狭くなっている内面側に移動し、スライド片の左右とテーパー面との間に、ネット柱の掛け止め具に至るコード、および掛け止め具にて折り返したコードを挿通して挟み込むことを特徴とする。
【００１１】
また、本発明におけるスポーツ用ネット牽張器は、バドミントン、バレー、テニス等のスポーツにおいてコートに張るネットの上部に取り付けられているコードを、ネット側からネット柱の掛け止め具側へ挿通して牽張する牽張器であって、牽張器は、ネット側に向かって対向する内面が狭くなるテーパー面を形成し、テーパー面内には２本のローラーを収容して、２本のローラー間にコードを挿通し、ローラーにはネット側に向かって付勢する付勢部材を懸架し、コードがネット側へ引き寄せられていないときには、２本のローラーは、付勢部材による付勢力によりテーパー面の内面が狭くなっている方に付勢され、狭くなっている内面からの圧力によりコードを挟み込むことを特徴とする。
【００１２】
また、本発明におけるスポーツ用ネット牽張器は、バドミントン、バレー、テニス等のスポーツにおいてコートに張るネットの上部に取り付けられているコードを、ネット側からネット柱の掛け止め具側へ通過させて牽張する牽張器であって、牽張器には、１本の支軸がコードの通過方向に沿って設けられており、支軸には複数の係止片が略同方向に設けられ、複数の係止片は、複数の係止片を通過するコードの屈折角度が大きくなるように、１つおきに互いに位置を食い違わせて設けられていることを特徴とする。
【００１３】
【実施の形態】
次に本発明の実施の一形態を図１〜図３について、以下に説明する。本実施の形態、並びに以下に述べる実施の形態においては、スポーツ用としてコートに張られるネット３の上端に、ネット３よりも長いコード３が取り付けられており、このネット３を取り付けるネット柱１にはコード４を通過させる滑車８とフック７が取り付けられている。
【００１４】
そして、この第１の実施の形態においては、コード４の端末は板状の牽引器１０の挿通孔に挿通後、結び目１１を作ることでコード４から牽張器１０が取り外せないようになっており、牽張器１０には係止部として挿通部１２が設けられている。
【００１５】
この挿通部１２としては、牽張器１０に穿設した孔、或いは牽張器１０の一側に開口している溝とすることができるものであるが、何れの場合でも結び目１２で牽張器１０に取り付けられたコード４のネット側が挿通されるもので、この挿通されたコード４と挿通部１２がなす角度は直角、若しくは鋭角になるように、表面と直角、若しくは傾いて設けるのが望ましい。
【００１６】
この牽張器１０を取り付けたネット３は、図１のようにそのコード４をネット柱１の上端に設けられた滑車８を介してコード４の挿通部１２に挿通された部分と結び目１１との間がフック７に掛け止めされる。
【００１７】
次いで、力を入れてコード４を引き、その状態で牽張器１０をネット４側に向かってコード４上をスライドさせれば、結び目１１と挿通部１２間のコード４の長さが長くなり、従ってその分だけネット３が張られ、且つその張られた状態は、コード４と挿通部１２とが摩擦抵抗でスライドできないため、この張られた状態に維持できる。
【００１８】
図１、図２、図４に示す第２の実施の形態においては、前記のコード４の端末は牽張器２０に対して前実施の形態と同様に、或いはその他の手段で固定されるもので、牽張器２０にはコード４の取付け位置とは反対側の同一平面上に位置して突出する３つの係止片２１、２２、２３が設けられている。
【００１９】
そして、コード４の牽張器２０への固定部分よりもネット３側をネット柱１のフック７に引っ掛けた後、この部分よりもネット３側のコード４を係止片２１と２２間、係止片２２と２３間を通すようにすれば、コード４はその屈折による摩擦抵抗で牽張器２０に対してスライドすることがないので、ネット３の張りが維持できる。
【００２０】
この時のネット３に対する緊張は、力を入れて牽張器２０をしてコード４上をスライドさせても、フック７にコード４を掛けて牽張器２０を引いてネット３に緊張を与えた後に、コード４を係止片２１、２２、２３に掛け止めしてもよい。
【００２１】
この実施の形態においては、係止片２１、２２、２３は、同一平面上に形成したが、より強い係止力を求める場合には係止片２１、２３と係止片２２の位置を食い違わせて、コード４の屈折角度が大きくなるように、これらの間に挿通すれば良い。
【００２２】
請求項２に該当し、図７に示す第３の実施の形態においては、牽張器本体３０にネット柱１のフック７に掛け止めするリング３１が取り付けられており、この牽張器本体３０には対向面の先端側が狭くなるテーパー面３２が形成されている。
【００２３】
このテーパー面３２内には２つのローラー３３が収容されていて、このローラー３３間を通してコード４の先端側が導入されると共に、この２つのローラー３３に向かってスライド可能に押圧板３４が収容され、この押圧板３４と牽張器主体３０との間に、押圧板３４をローラー３３側に付勢するスプリング３５が懸架されている。
【００２４】
従って、リング３１をネット柱１のフック７に掛け止めして、ネット柱１間にネット３を張り、コード４を引っ張れば、ローラー３３とコード４との摩擦でローラー３３はスプリング３５の付勢力に抗してテーパー面３２の幅広い側に向かって移動し、コード４に引っ張りに対する抵抗とはならず、容易にネット３を緊張して張った状態とすることができる。
【００２５】
しかし、コード４の引っ張りを解除すると、スプリング３５の付勢力で押圧板３４がローラー３３をテーパー面３２の幅が狭い方向に移動させて、ローラー３３がコード４を挟み込み、且つローラー３３とテーパー面３２との摩擦でローラー３３の回転が阻止されるので、コード４の移動によるネット３の緊張が緩むことはない。
【００２６】
請求項１に該当し、図８に示す第４の実施の形態においては、コード４を折り返して通すことができ、その一端側が狭く、他端が広いテーパー面４１を設けた牽張器主体４０には、テーパー面４１の中心の幅広い側に軸４２を立設する。
【００２７】
前記軸４２には、テーパー面４１の中心方向に向かってスライド孔４３を穿設したスライド片４４の該スライド孔４３をスライド可能に嵌め、このスライド片４４の左右両面には歯形４４ａを形成し、前記のコード４はテーパー面４１の幅狭い側において折り返し、且つ折り返した２本のコード４がスライド片４４の左右両側を通過するようにして、スライド片４４とテーパー面４１との間に挿通される。
【００２８】
そして、コード４の折り返した部分をネット柱１のフック７に掛け止めし、牽張器主体４０を掛け留め具５側に向かって引き寄せれば、コード４とスライド片４４の歯形４４ａとコード４との噛みあいで、スライド片４４はテーパー面４１の幅が広い側に移動し、従って前記の噛みあいが解かれ、コード４が自由に移動できる状態となる。
【００２９】
そこで、コード４の端末側をネット３が緊張される方向に引くことが可能となり、その引っ張りでネットを張ることができるもので、この状態から牽張器主体４０をネット３側に引き寄せれば、スライド片４４の歯形４４ａとコード４とが噛みあう状態となり、歯形４４ａとテーパー面４１間にコード４を挟み込んで、コード４のスライドが不能な状態となり、ネット３の緊張状態が維持される。
【００３０】
図７に示す第５の実施の形態においては、ウインチ５０の主枠５１に、ネット柱１のフック７に掛け止めする掛け止めフック５２が取り付けられている。
【００３１】
このウインチ５０の主枠５１には、巻き取りドラム５３が軸支されており、この巻き取りドラム５３に取り付けられた巻き取りコード５４の端末にはネット３のコード４を固定可能な連結金具５５が取り付けられており、この連結金具５５にコード４を連結すれば巻き取りドラム５３の回動でコード４を引っ張ることができる。
【００３２】
前記巻き取りドラム５３と同軸にラチェットホイール５６が取り付けられ、このラチェットホイール５６がコード４を緩める方向に回転を阻止する爪５７が主枠５１に設けられ、この爪５７をラチェットホイール５６から外すことで巻き取りドラム５３が自由に回転し、コード４を緩めてネット３の緊張状態を解くことができる。
【００３３】
前記ラチェットホイール５６にはハンドル５８が取り付けられており、このハンドル５８で巻き取りドラム５３を回転させて、コード４に連結した巻き取りコード５４を巻き取り、コード４でネット３を緊張状態とし、この時にラチェットホイール５６の回転を爪５７で係止してネットの緊張状態を維持できる。
【００３４】
図８に示す第６の実施の形態においては、コード４の先端をリング状に形成し、これを巻き取りドラム５３に設けた掛け止め片５９に掛け止めするようにしたもので、その他は前記第５の実施の形態とは異なるものでなく、何れの実施の形態においてもネット３のコード４からウインチ５０を取り外して保管できるものである。
【００３５】
【発明の効果】
本発明は以上に述べたように、第１、第２の実施の形態においては、構成が極めて簡単なので、低価格で供給できるが、人力で引っ張り、その時に得られた緊張力を牽張器とコードとの摩擦抵抗で緊張を維持するだけなので、余り強い緊張力を必要としないバドミントン、ソフトバレー、ハーフテニスに対して好適である。
【００３６】
また、第３、第４の実施の形態においては、前実施の形態よりも構成が複雑でこれよりは高価となるが、ネットのコードの緩み阻止能力が挟着で得られるので、前記の実施の形態よりも牽張器の緊張維持能力が強くなり、前記のスポーツよりも緊張維持能力を強く必要とするスポーツに対して好適なものである。
【００３７】
更に、第５、第６の実施の形態においては、ウインチでの強い緊張力と、この緊張力の維持が行われ、この緊張力の維持が可能であるが、その構成がより複雑で高価になるので、硬式のテニス、バレーボール等の強い緊張力を必要とするスポーツに好適である。
【００３８】
このように、本発明は必要とする緊張力に応じて使用することができると共に、その緊張力に応じて価格を設定することが可能で、しかも雨天等ではネットと共に格納が可能で、長期間に渡って使用することができるスポーツ用ネット牽張器である。
【図面の簡単な説明】
【図１】本発明の第１の実施の形態の使用状態の要部の正面図である。
【図２】ネット柱の要部の正面図である。
【図３】同上の牽張器の側面図である。
【図４】第２の実施の形態の牽張器の正面図である。
【図５】第３の実施の形態の正面図である。
【図６】第４の実施の形態の正面図である。
【図７】第５の実施の形態の正面図である。
【図８】第６の実施の形態の正面図である。
【図９】従来の牽張器の使用状態の正面図である。
【図１０】同上のネット柱要部の正面図である。
【符号の説明】
１    ネット柱
３    ネット
４    コード
５    掛け止め具
７    フック
１０  牽張器
１２  挿通部
２０  牽張器
２１、２２、２３  係止片
３０  牽張器
３２  テーパー面
３３  ローラー
３５  スプリング
４０  牽張器
４１  テーパー面
４４  スライド片
５０  ウインチ
５２  掛け止めフック
５３  巻き取りドラム
５６  ラチェットホイール
５７  爪
５８  ハンドル
【図１】
0003749758.tif 000002
【図２】
0003749758.tif 000003
【図３】
0003749758.tif 000004
【図４】
0003749758.tif 000005
【図５】
0003749758.tif 000006
【図６】
0003749758.tif 000007
【図７】
0003749758.tif 000008
【図８】
0003749758.tif 000009
【図９】
0003749758.tif 000010
【図１０】
0003749758.tif 000011